(57)【特許請求の範囲】
【請求項１】
柱と梁の内部に構造用鉄筋および構造用鉄筋とは分離配置された電気的接続用の鉄筋をそれぞれ備え、柱内の電気的接続用の鉄筋と梁内の電気的接続用の鉄筋とが電気的に接続されていることを特徴とする鉄筋コンクリート構造物。
【請求項２】
電気的接続用の鉄筋は、力学的影響の少ない位置に設けられていることを特徴とする請求項１に記載の鉄筋コンクリート構造物。
【請求項３】
電気的接続用の鉄筋は、力学的影響の最も少ない柱断面や梁断面における中心に設けられていることを特徴とする請求項１に記載の鉄筋コンクリート構造物。
【請求項４】
鞘管内部に当該鞘管の内径より径の小さい電気的接続用の鉄筋を配置し、建物変形時に、鞘管内部で電気的接続用の鉄筋をすべらせ、建物構造体に力学的影響を排除した構造を有することを特徴とする請求項２又は請求項３に記載の鉄筋コンクリート構造物。
【請求項５】
柱と梁の内部に設けられる構造用鉄筋のうちの柱内の構造用鉄筋の少なくとも１本と梁内の構造用鉄筋の少なくとも１本を電気的接続用の鉄筋とし、柱内の電気的接続用の鉄筋と梁内の電気的接続用の鉄筋とが電気的に接続されて、鉄筋による矩形が構成されたことを特徴とする鉄筋コンクリート構造物。
【請求項６】
電気的接続用の鉄筋には、その他の鉄筋と区別するための識別処理を施すようにしたことを特徴とする請求項１ないし請求項５のいずれかに記載の鉄筋コンクリート構造物。
【発明の詳細な説明】
【０００１】
【発明の属する技術分野】
本発明は、鉄筋コンクリート構造物の特に電磁遮蔽対策に関する。
【０００２】
【従来の技術】
図３に示すように、従来の鉄筋コンクリート構造物の柱と梁の鉄筋の結合部Ａにおいては、端部を折り曲げた梁鉄筋１０を柱鉄筋１１に沿わせてこれらを結束線で機械的に結合し、その後、コンクリートを周囲に充填することで鉄筋コンクリート柱及び鉄筋コンクリート梁を辺とした鉄筋コンクリート構造物を構築する。
【０００３】
【発明が解決しようとする課題】
従来の鉄筋コンクリート構造においては、図３の結合部Ａにおいて梁鉄筋１０と柱鉄筋１１は電気的に接続されていないので、鉄筋コンクリート構造物は電磁遮蔽性能を持たない。
即ち、鉄筋コンクリート内の鉄筋は、通常、表面が錆びており（表面酸化状態）、この状態で鉄筋同士を結束線で接続しても酸化状態の金属は絶縁体であるので電気的には接続されない。また、錆びを取り除いた鉄筋でも結束線による接続では金属の接触抵抗のみの接合となり、金属の有する低抵抗の接続状態とはなっていない。また、結束線による接合では、建設直後の鉄筋等の金属の表面の状態は、長期経年変化でコンクリートの劣化により、コンクリート自体のアルカリ性がなくなり、内部金属表面を錆びさせる可能性もある。
【０００４】
【課題を解決するための手段】
本発明の請求項１に係る鉄筋コンクリート構造物は、柱と梁の内部に構造用鉄筋の他に電気的接続用の鉄筋を備え、柱内の電気的接続用の鉄筋と梁内の電気的接続用の鉄筋とが電気的に接続されて、鉄筋による矩形が構成されたことを特徴とする。
請求項２では、電気的接続用の鉄筋は、力学的影響の少ない位置に設けるようにした。
請求項３では、電気的接続用の鉄筋は、力学的影響の最も少ない柱断面や梁断面における中心に設けるようにした。
請求項４では、請求項２，３において、鞘管内部に当該鞘管の内径より径の小さい電気的接続用の鉄筋を配置し、建物変形時に、鞘管内部で電気的接続用の鉄筋をすべらせ、建物構造体に力学的影響を排除した構造を有するものとした。
請求項５に係る鉄筋コンクリート構造物は、柱と梁の内部に設けられる構造用鉄筋のうちの柱内の構造用鉄筋の少なくとも１本と梁内の構造用鉄筋の少なくとも１本を電気的接続用の鉄筋とし、柱内の電気的接続用の鉄筋と梁内の電気的接続用の鉄筋とが電気的に接続されて、鉄筋による矩形が構成されたことを特徴とする。
請求項６では、電気的接続用の鉄筋には、その他の鉄筋と区別するための識別処理を施すようにした。
【０００５】
【発明の実施の形態】
実施の形態１．
以下、本発明の実施の形態１を図１，図２に基づいて説明する。
本実施の形態１では、各図に示すように、鉄筋コンクリート構造の柱１と梁２を施工する際において、構造用鉄筋３の他に電気的接続用の鉄筋４を配筋しておく。例えば、図２（ａ），（ｂ）に示すように、力学的影響の最も少ない柱断面１ａや梁断面２ａの中央に位置するように電気接続用の鉄筋４を配筋しておき、柱用に設けた電気接続用の鉄筋４と梁用に設けた電気接続用の鉄筋４とを予め溶接５で電気的に確実に接続しておく。そして、コンクリートを周囲に充填して鉄筋コンクリート柱１及び鉄筋コンクリート梁２を辺とした鉄筋コンクリート構造物を得る。
【０００６】
実施の形態１によれば、図１に示すように、柱用と梁用の電気的接続用の鉄筋４が電気的に接続されて構成される矩形の対角線の長さＬの２分の１波長以上の電磁波に対し有効な遮蔽効果を有する鉄筋コンクリート構造物が得られる。
【０００７】
尚、上記では電気接続用の鉄筋４を設けたが、鉄筋４の代わりに鉄筋以外の導体を用いて電気的接続を行なうようにしてもよい。
また、上記では柱断面１ａや梁断面２ａの中央に位置するように電気接続用の鉄筋４を設けるようにしたが、力学的影響の少ない位置であれば中央以外の位置に位置するように設けてもよい。力学的に影響の少ない位置とは、柱１，梁２等において常時加わる荷重等の応力で引張り力、圧縮力が働かない部分であり、例えば圧縮・引張りの中間点である。
また、電気接続用の鉄筋４や導体は複数本設けるようにしてもよい。
【０００８】
また、主に圧縮応力を負担する柱においては、力学的圧縮力を分担しない鞘管内部に電気的接続用の鉄筋４や導体を配置するようにし、電気的接続用の鉄筋４や導体と鞘管内壁との間の空隙で応力を吸収するような構造としてもよい。即ち、鞘管内部に当該鞘管の内径より径の小さい電気的接続用の鉄筋４や導体を配置し、建物変形時に、鞘管内部で電気的接続用の鉄筋４や導体をすべらせ、建物構造体に力学的影響を与えないようにする。
【０００９】
実施の形態２．
実施の形態１では、構造用鉄筋３の他に電気的接続用の鉄筋４を設けたが、柱，梁の構造用鉄筋３のうちの１本あるいは複数本を電気的に接続するようにしてもよい。
【００１０】
尚、各実施の形態において、電気的接続用の鉄筋に、構造用鉄筋と区別するために着色等による識別処理を施しておけば、溶接作業の間違いを防止できる。また、着色剤としては例えば溶接用塗料を用いればよい。
【００１１】
また、本発明は、電磁遮蔽対策が要求される半導体の製造等を行なうクリーンルームを構築する際に適用することにより、電磁遮蔽効果の優れたクリーンルームを構築できるようになる。
【００１２】
【発明の効果】
本発明の請求項１や請求項５によれば、柱用と梁用の電気的接続用の鉄筋が電気的に接続されて構成される矩形の対角線の長さの２分の１波長以上の電磁波に対し有効な遮蔽効果を有する鉄筋コンクリート構造物が得られる。
請求項２〜請求項４によれば、鉄筋コンクリート構造物に与える力学的影響を少なくできる。
請求項６によれば、溶接作業の間違いを防止できる。
【図面の簡単な説明】
【図１】  本発明の実施の形態１によるコンクリート構造物における電気的接続用の鉄筋の電気的接続状態を示した図。
【図２】  実施の形態１によるコンクリート構造物の柱断面及び梁断面図。
【図３】  従来のコンクリート構造物の柱と梁の鉄筋の関係を示す図。
【符号の説明】
１  柱、１ａ  柱断面、２  梁、２ａ  梁断面、３  構造用鉄筋、
４  電気的接続用の鉄筋、５  溶接。
【図１】
0003871936.tif 000002
【図２】
0003871936.tif 000003
【図３】
0003871936.tif 000004